(57)【特許請求の範囲】
【請求項１】
ディスク状記録媒体を保持する複数枚の台紙と、該台紙を取着、積層可能なように収納するバインダリーフと、該バインダリーフを格納する容器とからなるディスク状記録媒体の保管ケースにおいて、
前記台紙の両表面が平坦面であり、
前記台紙の少なくとも一方の表面に、前記ディスク状記録媒体を貼脱可能な粘着層を設けると共に、
前記台紙と台紙との間に、台紙同士の粘着を防止する間紙層を設けたことを特徴とするディスク状記録媒体の保管ケース。
【請求項２】
ディスク状記録媒体を保持する複数枚の台紙と、該台紙を取着、積層可能なように収納するバインダリーフと、該バインダリーフを格納する容器とからなるディスク状記録媒体の保管ケースにおいて、
前記台紙の両表面が平坦面であり、
前記台紙の一方の表面に、前記ディスク状記録媒体を貼脱可能な粘着層を設け、
前記台紙の他方の表面に、台紙同士の粘着を防止するシボ加工を施したことを特徴とするディスク状記録媒体の保管ケース。
【請求項３】
前記間紙層が、袋構造とされていることを特徴とする請求項１記載の保管ケース。
【発明の詳細な説明】
【０００１】
【発明の属する技術分野】
本発明は、ＣＤ、ＣＤ−ＲＯＭ、ＣＤ−Ｒ、ＤＶＤ等のディスク状記録媒体の保管ケースに関するものである。
【０００２】
【従来の技術】
一般に、ＣＤ、ＣＤ−ＲＯＭ、ＤＶＤ等のディスク状記録媒体は、専用のプラスチックケース（ハードケース）に入れて保護し、保管するようにしている。
【０００３】
【発明が解決しようとする課題】
しかして、前記のような専用ケースに入れて保管する場合、ディスク状記録媒体の厚さに対してケースの厚さが大きく嵩張って、保管スペースが大きくなると共に、持ち運びに不便となる問題を有する。
【０００４】
特に、近年、コンピュータソフトのＣＤ−ＲＯＭ化により、これらのディスク状記録媒体の保有枚数が増大しており、その収納、保管スペースの小型化、携帯性の向上が要望されている。
【０００５】
また、ディスク状記録媒体を保管する際には、ディスク状記録媒体の側表面と専用ケースがこすれて傷が付いたり、また、ホコリ等の付着は避けることができず、その程度によっては記録再生不良の原因となることもある。
【０００６】
【課題を解決するための手段】
上記課題を解決した本発明のディスク状記録媒体の保管ケースは、ディスク状記録媒体を保持する少なくとも１枚からなる台紙を、バインダリーフに取着、積層可能なように収納し、前記バインダリーフを格納する容器からなり、前記台紙の少なくとも片側表面に、ディスク状記録媒体を貼脱可能な粘着層を設けたことを特徴とするものである。
【０００７】
前記台紙の粘着層はシリコーンゴム等によって形成され、ディスク状記録媒体の平滑な表面を、その粘着層に着脱可能に貼り付けることによって保持するものである。上記のように台紙にディスク状記録媒体を保持した後には、バインダリーフを容器に格納して保管もしくは携帯するものである。また、前記台紙の粘着層からディスク状記録媒体を剥離した際には、このディスク状記録媒体の表面に付着していたホコリ、ゴミ等は粘着層に付着したままとなるので、表面をクリーニングしたのと同等の効果が得られる。
【０００８】
前記台紙を２枚以上バインダリーフに収納する場合に、この台紙の間に間紙層を設けるのが、台紙同士の粘着を防止すること、またはディスク状記録媒体への傷防止の点などから好適である。また、台紙の片面に粘着層を設け、他方の面にシボ加工を施して、このシボ加工面と前記粘着層とが相対向するように重ねてバインダリーフに収納するように設けるのが、同様に台紙同士の粘着を防止する点から好ましい。
【０００９】
一方、前記間紙層または前記台紙の粘着層と反対側の面を袋構造に設けるのが、インデックスシート等の収納を行う点から好適である。
【００１０】
【発明の効果】
上記のような本発明によれば、ディスク状記録媒体を貼脱可能な粘着層を設けた台紙に貼り付けバインダリーフに収納する形態としたので、前記ディスク状記録媒体を複数枚収納しても、その厚みは専用ケースに収納する場合に比べて薄く、コンパクトで携帯性に優れる。しかも、ディスク状記録媒体の記録面を粘着層に密着していることで、収納時に擦れて記録面に傷が付くようなこともなく、さらに、この記録面へのゴミ、ホコリの付着も防止することができる。また、粘着層からのディスク状記録媒体の剥離時には記録面に付着していたゴミ、ホコリが粘着層に付着して除去することができる。
【００１１】
【発明の実施の形態】
以下、図面に示す実施の形態に基づいて本発明を詳細に説明する。
【００１２】
＜第１の実施の形態＞
図１は一例のディスク状記録媒体の保管ケースの斜視図で、図２はディスク状記録媒体の収納状態を示す斜視図、図３は要部正面図である。
【００１３】
保管ケースは、ディスク状記録媒体１を保持する少なくとも１枚からなる台紙５を収納したバインダリーフ２と、このバインダリーフ２を格納する容器４とからなる。上記台紙５は、バインダリーフ２に取着、積層可能なように収納されると共に、この台紙５の少なくとも片側表面に、ディスク状記録媒体１が貼脱可能な粘着層５ａが設けられている。
【００１４】
前記容器４は、一つの側面が開口４ａしている箱状であり、この開口４ａから閉じた状態のバインダリーフ２を挿入して格納するものである。バインダリーフ２は、背２ｂの部分の両側に表紙２ａが連接されて開閉自在であり、背２ｂの内面側には例えば１０枚の台紙５を保持する綴じ具３が固着されている。この綴じ具３は金属製で、多数のリング体３ａが起伏自在に設けられ、台紙５の枚数が増減可能である。
【００１５】
一方、前記台紙５は、その片面にディスク状記録媒体１の形状に相当する円環状の粘着層５ａが設けられ、一側部に前記綴じ具３のリング体３ａに挿入する多数の穴５ｂが一列に並んで開口され、他方の側部は粘着層５ａの外周に沿う円弧状に形成されている。この台紙５の素材は、クラフト紙等の紙、ポリカーボネートシート等のプラスチックシートなどによって構成される。
【００１６】
また、前記粘着層５ａは、弾性および耐候性に優れるシリコーンゴムで形成するのが好ましく、具体的には、例えば、信越化学社製のゴムコンパウンドなどが挙げられ、その組成は実願平８−６６９９号、特願平８−１６６５８７号に示される。この粘着層５ａは、前記台紙５に対して所定形状に塗着形成するもので、その形状としては、ディスク状記録媒体１の形状と同形状すなわち中心部に空間のある円環状に形成するのが原則であるが、台紙５の全面的にまたは部分的に形成してもよく、例えば、中心部のみ、複数の同心円状のリング形状等に形成することが可能である。
【００１７】
上記粘着層５ａは、台紙５の片面または両面に形成するものであり、図３に示すように片面に形成した場合には、この粘着層５ａが形成されていない他方の面を、シボ加工を施して粗面化したシボ加工面５ｃとする。粗面化の度合いは、台紙５同士の粘着を防止できる粗さであれば、特に限定しないが、商品の外観、手触り感等の要素も勘案して決めるのが良く、例えば、番手８０程度のものがよい。
【００１８】
そして、上記のようなシボ加工面を有する複数枚の台紙５をバインダリーフ２に収納する場合には、シボ加工面５ｃと粘着層５ａとが対向するように台紙５の向きを揃えて綴じ、シボ加工面５ｃにより粘着層５ａとの粘着力を低減する。
【００１９】
その他、例えば、前記バインダリーフ２の表紙２ａおよび容器４は、ある程度の強度を有するポリプロピレンシート、紙素材等で構成される。前記綴じ具３は、リング式のものの他、公知の各種形式のものが採用可能である。また、綴じ具３を使用せず、バインダリーフ２に対して所定枚数の台紙５を固着して、台紙５の枚数が増減不能な固定式に構成してもよい。
【００２０】
さらに、前記台紙５の形状は矩形状その他の形状でもよく、また、その大きさも１枚のディスク記録媒体に対応する大きさではなく、さらに大きく設けて１枚の台紙５の片面に２枚以上のディスク記録媒体を保持するようにしてもよい。
【００２１】
＜第２の実施の形態＞
この例は図４に示すように、台紙５の間に間紙層７を介装した例である。すなわち、ディスク状記録媒体１を保持する少なくとも２枚からなる台紙５を、バインダリーフ２に取着、積層可能なように収納し、前記台紙５の少なくとも片側の表面に、ディスク状記録媒体１が貼脱可能な粘着層５ａを設けると共に、前記台紙５の間に間紙層７を設けてなるものである。
【００２２】
台紙５、バインダリーフ２等の基本構造は前例と同様であり、その台紙５の片面または両面に粘着層５ａを設け、この台紙５と台紙５との間に、紙またはプラスチックシートによる間紙層７を、台紙５と同様に綴じ具３に収納したものである。この間紙層７は、粘着層５ａと粘着層５ａの接着防止、粘着層５ａに保持したディスク状記録媒体１の保護等の目的で介装している。
【００２３】
上記間紙層７の形状は、前記台紙５と同形状または異なる形状に設けるものであって、少なくとも粘着層５ａの形成範囲または保持されるディスク状記録媒体１の部分を覆う形状に設ける。
【００２４】
＜第３の実施の形態＞
この例は図５に示すように、台紙５の間に介装した間紙層７を袋構造とした例である。すなわち、ディスク状記録媒体１を保持する少なくとも２枚からなる台紙５を、バインダリーフ２に取着、積層可能なように収納し、前記台紙５の少なくとも片側の表面に、ディスク状記録媒体１が貼脱可能な粘着層５ａを設けると共に、前記台紙５の間に間紙層７を設け、この間紙層７が袋構造に設けられてなる。
【００２５】
台紙５、バインダリーフ２等の基本構造は第１の実施の形態と同様であり、その台紙５の片面または両面に粘着層５ａを設け、この台紙５と台紙５との間に、紙またはプラスチックシートによる間紙層７を、台紙５と同様に綴じ具３に装着したものである。そして、この間紙層７は袋体８が付着されるか、２重構造に形成されており、この袋体８の内部にディスク状記録媒体１に対応するインデックスシートなどを収納可能としている。
【００２６】
＜第４の実施の形態＞
この例は図６に示すように、台紙５を袋構造とした例である。すなわち、ディスク状記録媒体１を保持する少なくとも１枚からなる台紙５を、バインダリーフ２に取着、積層可能なように収納し、前記台紙５の片側の表面に、ディスク状記録媒体１が貼脱可能な粘着層５ａを設けると共に、台紙５の他方の面が袋構造に設けられてなる。
【００２７】
台紙５、バインダリーフ２等の基本構造は第１の実施の形態と同様であり、その台紙５の片面に粘着層５ａを設け、この台紙５の他面は袋体８が付着されるか、２重構造に形成されており、この袋体８の内部にディスク状記録媒体１に対応するインデックスシートなどを収納可能としている。
【図面の簡単な説明】
【図１】本発明の第１の実施の形態によるディスク状記録媒体の保管ケースの斜視図
【図２】バインダリーフの台紙へのディスク状記録媒体の保持状態を示す斜視図
【図３】バインダリーフの要部正面図
【図４】本発明の第２の実施の形態によるディスク状記録媒体の保管ケースにおけるバインダリーフの要部正面図
【図５】本発明の第３の実施の形態によるディスク状記録媒体の保管ケースにおけるバインダリーフの斜視図
【図６】本発明の第４の実施の形態によるディスク状記録媒体の保管ケースにおけるバインダリーフの要部正面図
【符号の説明】
１    ディスク状記録媒体
２    バインダリーフ
３    綴じ具
４    容器
５    台紙
5a    粘着層
5c    シボ加工面
７    間紙層
８    袋体
【図１】
0003742819.tif 000002
【図２】
0003742819.tif 000003
【図３】
0003742819.tif 000004
【図４】
0003742819.tif 000005
【図５】
0003742819.tif 000006
【図６】
0003742819.tif 000007